(57)【要約】      （修正有）【課題】既存のミニキッチン（新品、中古品、家屋に設置されているもの、および該家屋から回収したものを含む。）を構成するキャビネット本体の内部空間を拡張し、例えば３．３Ｋｇ仕様の全自動洗濯機など、大型の家庭電化製品を収容できるスペースをキャビネット本体内に設けることを可能としたミニキッチン用の台輪を提供する。【解決手段】台輪１は、中間板１Ａ、後板１Ｂ、家電設置台１１を具備し、一方の取替側板６Ｂ−Ｌの下部と中間板１Ａとの間の空間がキャビネット本体の内部空間に連通することによって、その取替側板６Ｂ−Ｌの下部分だけキャビネット本体の内部空間を拡張するものである。【選択図】図１
0003218271.tif 000002
【実用新案登録請求の範囲】
【請求項１】
ミニキッチンを構成するキャビネット本体の内部空間を拡張し家庭電化製品の収納スペースを形成するためのミニキッチン用の台輪であって、
前記台輪は、
前記キャビネット本体を構成する一対の側板より長い縦方向寸法の一対の取替側板が該一対の側板の取替部品として前記キャビネット本体に取付けられた状態において、前記一対の取替側板の下部間に配置される中間板と、
前記キャビネット本体の後面側に位置し、かつ前記一対の取替側板に対して前記中間板を連結する後板と、
前記一対の取替側板のうち一方の取替側板の下部と前記中間板との間に位置し、かつ前記キャビネット本体の外部へ引き出し可能に設けられ、前記家庭電化製品が置かれる家電設置台と、を具備し、
前記一方の取替側板の下部と前記中間板との間の空間が前記キャビネット本体の内部空間に連通することによって、その取替側板の下部分だけ前記キャビネット本体の内部空間が拡張されること
を特徴とするミニキッチン用の台輪。
【請求項２】
前記家庭電化製品は洗濯機であること
を特徴とする請求項１に記載のミニキッチン用の台輪。
【請求項３】
前記キャビネット本体の外部へ前記家電設置台をスライドにより引き出し可能とするスライド手段を備えること
を特徴とする請求項１又は２に記載のミニキッチン用の台輪。
【請求項４】
前記家電設置台の裏面に設置された戸車を有すること
を特徴とする請求項１又は２に記載のミニキッチン用の台輪。
【請求項５】
前記キャビネット本体の外部へ前記家電設置台をスライドにより引き出し可能とするスライド手段と、
前記家電設置台の裏面に設置された戸車と、を備え、
前記家電設置台上に置かれる家庭電化製品の重量を前記戸車で受けることによって、前記スライド手段に加わる前記家庭電化製品の負荷重量が軽減されること
を特徴とする請求項１又は２に記載のミニキッチン用の台輪。
【請求項６】
前記家電設置台は、プレートの周囲に枠を一体に形成してなる構造であって、その枠の内側に前記洗濯機からの漏水を捕集する防水パンとしての機能を備えること
を特徴とする請求項２に記載のミニキッチン用の台輪。
【請求項７】
前記スライド手段は、一対のガイドと、このガイドにスライド可能に嵌合する一対のレールからなるとともに、前記一対のレールのうち、一方のレールは前記一方の取替側板内面に取り付け固定し、前記他方のレールは前記中間板に取り付け固定してあり、前記一対のガイドのうち、一方のガイドは前記家電設置台の一側面に取り付け、他方のガイドはその家電設置台の反対の側面に取り付けてあること
を特徴とする請求項３又は５に記載のミニキチン用の台輪。
【請求項８】
前記家電設置台の枠全体のうち、排水ホースが超える部分にクッション材を貼付してあること
を特徴とする請求項６に記載のミニキッチン用の台輪。
【考案の詳細な説明】
【技術分野】
【０００１】
本考案は、例えばワンルーム賃貸住宅等のように延床面積が小さい住宅に設置されるミニキッチン用の台輪に関し、特に、既存のミニキッチンを構成するキャビネット本体の内部空間を拡張し家庭電化製品の収納スペースを形成するものである。
【背景技術】
【０００２】
従来、この種の市販されている既存のミニキッチンは、カウンタートップの下に食品やキッチン用品等を収納するためのキャビネット本体（図２（ｂ）参照）を備えている。また、下記事情１、２を背景に、キャビネット本体内に小型洗濯機の収容スペースを設けたミニキッチンも知られている。
【０００３】
＜事情１＞
従来のワンルーム賃貸住宅は占有面積が少ないため、洗濯機は当該住宅の外廊下やベランダなど室外に設置することが多かった。そのため、風雨の日は洗濯ができず、また夜間の洗濯音が近所迷惑になる等の問題点があった。
【０００４】
＜事情２＞
洗濯機をワンルーム賃貸住宅の部屋内に設置するとしたら、かなりの設置スペースが必要となり、このような洗濯機の設置スペースにより部屋内の居住スペースが削られてしまい、部屋を広く使うことができないという問題点が生じる。
【０００５】
しかしながら、従来のミニキッチンによると、キャビネット本体の高さが決まっているため、キャビネット本体の高さ寸法を超える丈の高い大型の洗濯機、例えば３．３Ｋｇ仕様の全自動洗濯機をキャビネット本体内に収容することはできず、そのような大型の全自動洗濯機をミニキッチンに収容して使用したいというユーザのニーズに応じることはできない。この問題は、洗濯機だけでなく、洗濯機以外の他の大型の家庭電化製品をキャビネット本体内に収容しようとした場合も同様に生じる。
【先行技術文献】
【特許文献】
【０００６】
【特許文献１】特開２００７−１６００５０号公報
【考案の概要】
【考案が解決しようとする課題】
【０００７】
本考案は、前記問題点を解決するためになされたものであり、その目的は、既存のミニキッチン（新品、中古品、家屋に設置されているもの、および該家屋から回収したものを含む。）を構成するキャビネット本体の内部空間を拡張し、例えば３．３Ｋｇ仕様の全自動洗濯機など、大型の家庭電化製品を収容できるスペースをキャビネット本体内に設けることを可能としたミニキッチン用の台輪を提供することである。
【課題を解決するための手段】
【０００８】
前記目的を達成するために、本考案は、ミニキッチンを構成するキャビネット本体の内部空間を拡張し家庭電化製品の収納スペースを形成するためのミニキッチン用の台輪であって、前記台輪は、前記キャビネット本体を構成する一対の側板より長い縦方向寸法の一対の取替側板が該一対の側板の取替部品として前記キャビネット本体に取付けられた状態において、前記一対の取替側板の下部間に配置される中間板と、前記キャビネット本体の後面側に位置し、かつ前記一対の取替側板に対して前記中間板を連結する後板と、前記一対の取替側板のうち一方の取替側板の下部と前記中間板との間に位置し、かつ前記キャビネット本体の外部へ引き出し可能に設けられ、前記家庭電化製品が置かれる家電設置台と、を具備し、前記一方の取替側板の下部と前記中間板との間の空間が前記キャビネット本体の内部空間に連通することによって、その取替側板の下部分だけ前記キャビネット本体の内部空間が拡張されることを特徴とする。
【０００９】
前記本考案において、前記家庭電化製品は洗濯機であることを特徴としてもよい。
【００１０】
前記本考案において、前記キャビネット本体の外部へ前記家電設置台をスライドにより引き出し可能とするスライド手段を備えることを特徴としてもよい。
【００１１】
前記本考案において、前記家電設置台の裏面に設置された戸車を有することを特徴としてもよい。
【００１２】
前記本考案において、前記キャビネット本体の外部へ前記家電設置台をスライドにより引き出し可能とするスライド手段と、前記家電設置台の裏面に設置された戸車と、を備え、前記家電設置台上に置かれる家庭電化製品の重量を前記戸車で受けることによって、前記スライド手段に加わる前記家庭電化製品の負荷重量が軽減されることを特徴としてもよい。
【００１３】
前記本考案において、前記家電設置台は、プレートの周囲に枠を一体に形成してなる構造であって、その枠の内側に前記洗濯機からの漏水を捕集する防水パンとしての機能を備えることを特徴としてもよい。
【００１４】
前記本考案において、前記スライド手段は、一対のガイドと、このガイドにスライド可能に嵌合する一対のレールからなるとともに、前記一対のレールのうち、一方のレールは前記一方の取替側板内面に取り付け固定し、前記他方のレールは前記中間板に取り付け固定してあり、前記一対のガイドのうち、一方のガイドは前記家電設置台の一側面に取り付け、他方のガイドはその家電設置台の反対の側面に取り付けてあることを特徴としてもよい。
【００１５】
前記本考案において、前記家電設置台の枠全体のうち、排水ホースが超える部分にクッション材を貼付してあることを特徴としてもよい。
【考案の効果】
【００１６】
本考案では、ミニキッチン用の台輪の具体的な構成として、前記の通り、一方の取替側板の下部と中間板との間の空間がキャビネット本体の内部空間に連通することによって、その一対の取替側板の下部分だけキャビネット本体の内部空間が拡張される構成を採用した。このため、既存のミニキッチン（新品、中古品、家屋に設置されているもの、および該家屋から回収したものを含む。）を構成するキャビネット本体に対して、例えば、３．３Ｋｇ仕様の全自動洗濯機など、大型の家庭電化製品を収容できるスペースを設けることができ、そのような全自動洗濯機をミニキッチンに収容して使用したいというユーザの切実なニーズに応じることができる。
【図面の簡単な説明】
【００１７】
【図１】図１は、本考案に係るミニキッチン用の台輪の斜視図。
【図２】図２（ａ）は図２（ｂ）の既存のミニキッチンに対して図１の台輪を適用した後のミニキッチン正面図、図２（ｂ）は既存のミニキッチンの正面図。
【図３】図３は図２のＡ−Ａ断面図。
【図４】図４は図２のＢ−Ｂ断面図。
【図５】図５は図２（ｂ）の既存のミニキッチンに対して図１の台輪を適用した後のミニキッチン正面部分断面図。
【図６】本考案の他の実施形態の説明図。
【考案を実施するための最良の形態】
【００１８】
以下、本考案を実施するための最良の形態について、添付した図面を参照しながら詳細に説明する。
【００１９】
図１は本考案に係るミニキッチン用の台輪の斜視図、図２（ａ）は図２（ｂ）の既存のミニキッチンに対して図１の台輪を適用した後のミニキッチン正面図、図２（ｂ）は既存のミニキッチンの正面図、図３は図２のＡ−Ａ断面図、図４は図２のＢ−Ｂ断面図、図５は図２（ｂ）の既存のミニキッチンに対して図１の台輪を適用した後のミニキッチン正面部分断面図。
【００２０】
《ミニキッチンの概要》
図２（ｂ）の既存のミニキッチンＭＫ（以下「既存ミニキッチンＭＫ」という）は、新品、中古品、家屋に設置されているもの、又は該家屋から回収したものであって、加熱調理機器２、シンク３及び水栓４を備えたカウンタートップ５と、カウンタートップ５の下面側に設けられるキャビネット本体６と、キャビネット本体６の正面に開閉可能に取り付けられる左右の扉７Ｒ、７Ｌと、左右の扉７Ｒ、７Ｌの閉合せ部８を境にして図５のようにキャビネット本体６内を２つの室９Ａ、９Ｂに仕切る仕切り板９と、を備えた構成になっている。
【００２１】
仕切り板９は、必要に応じて適宜取外し可能に構成されていてもよいし、また、ミニキッチンＭＫ新品時から存在しないものであってもよい。
【００２２】
加熱調理機器２は、２口タイプ又は１口タイプのＩＨヒーターを採用しているが、必要に応じて電気コンロ、ガスコンロ等、他の加熱調理機器を採用することもできる。
【００２３】
カウンタートップ５は、ＳＵＳ３０４等の錆に強いステンレスや、人造大理石で形成したもの等を採用することができる。カウンタートップ５の間口サイズ（左右方向の幅）Ｌは９００ｍｍ〜１５００ｍｍの範囲内において、例えば９００ｍｍ、１０５０ｍｍ、１２００ｍｍ、１５００ｍｍの中から必要に応じて適宜選択することができる。
【００２４】
また、カウンタートップ５は、その上方に立ち上がっている左右の側板５Ａ、５Ｂと背板５Ｃで囲まれていて、左右の側板５Ａ、５Ｂの正面上部には天板５Ｄが取り付けられている。
【００２５】
前述の左右の側板５Ａ、５Ｂと背板５Ｃは、後述するキャビネット本体６の左右の側板６Ａ、６Ｂ、背板６Ｃと一体の構造でも分離可能な構造でもよいが、本実施形態では分離可能な構造を採用した。これは、カウンタートップ５を境にしてミニキッチンＭＫを上下に分割可能とすることで、ミニキッチンの搬送・設置・改造の作業性向上を図るためである。
【００２６】
シンク３は、一人住まいのワンルーム等に適したコンパクト仕様になっている。このシンク３は、錆に強いＳＵＳ３０４のステンレスで形成されているが、他の金属やプラスチックに置き換えられてもよいし、また、手入れがしやすいようにするため、このシンク３の表面には鏡面仕上げを施している。さらに、このシンク３の下面には、ゴミ収集機能と防臭機能付きの排水装置（図示省略）を設けている。
【００２７】
水栓４については、図２（ｂ）及び図３に示すような２バルブ仕様の混合水栓を採用できるほか、図示は省略するが、周知のシングルレバー形式の混合水栓を採用することもできる。
【００２８】
キャビネット本体６は、左右の側板６Ａ、６Ｂ、背板６Ｃ（図５参照）、及び底板６Ｄ、及び正面の巾木６Ｅからなり、その正面側が前記左右の扉７Ｒ、７Ｌによって開閉する構造になっている。また、図示は省略するが、このキャビネット本体６の上面は開口していて、その開口部を塞ぐように前記カウンタートップ５が当該キャビネット本体６に着脱自在に組み付けられている。
【００２９】
左右の扉７Ｒ、７Ｌは、キャビネット本体６のそれぞれの側板６Ａ、６Ｂに図示しないヒンジを介して取り付けられている。また、仕切り板９は、キャビネット本体６の底板６Ｄと背板６Ｃに一体に取り付け固定されることによって、キャビネット６内を前述のように２つの室９Ａ、９Ｂ（図５参照）に仕切っており、左側の扉７Ｌを開くと、仕切り板９より左側の室９Ｂが現れ、右側の扉７Ｒを開くと、仕切り板９より右側の室９Ａが現れるように構成してある。
【００３０】
図２（ｂ）の既存ミニキッチンＭＫでは、カウンタートップ５の上方に２段の吊り戸棚１６と水切り棚１７を設けているが、これらのいずれか一方を設ける構成を採用することもできる。
【００３１】
《台輪の説明》
図１の台輪１は、先に説明した図２（ｂ）の既存ミニキッチンＭＫ（新品、中古品、家屋に設置されているもの、又は該家屋から回収したもの）を適用の対象とし、かかる既存ミニキッチンＭＫを構成するキャビネット本体６の内部空間を拡張し家庭電化製品の収納スペースを形成する手段として使用される。
【００３２】
図２（ａ）を参照すると、図１の台輪１を図２（ｂ）の既存ミニキッチンＭＫに適用する際に、その既存ミニキッチンＭＫは、まずキャビネット本体６から一対の側板６Ａ、６Ｂ（図２（ｂ）参照）が取り外され、次に、取り外した一対の側板６Ａ、６Ｂより長い縦方向寸法の一対の取替側板６Ａ−Ｌ、６Ｂ−Ｌが該一対の側板６Ａ、６Ｂの取替部品として図２（ａ）のようにキャビネット本体６に取付けられた状態になる。以下この状態を「ミニキッチン側板取替え後の状態」という。
【００３３】
次に、前記のようなミニキッチン側板取替え後の状態を前提として、図１の台輪１を詳細に説明する。
【００３４】
図１の台輪１は、（１）一対の取替側板６Ａ−Ｌ、６Ｂ−Ｌの下部間に配置される中間板１Ａと、（２）キャビネット本体６の後面側に位置し、かつ一対の取替側板６Ａ−Ｌ、６Ｂ−Ｌに対して中間板１Ａを連結する後板１Ｂと、（３）一対の取替側板６Ａ−Ｌ、６Ｂ−Ｌのうち一方の取替側板６Ｂ−Ｌの下部と中間板１Ａとの間に位置し、かつキャビネット本体６の外部へ引き出し可能に設けられ、家庭電化製品が置かれる家電設置台１１と、を備えている。
【００３５】
そして、図２（ａ）および図５に示したように、図１の台輪１を適用した既存ミニキッチンＭＫ（以下「台輪適用ミニキッチンＭＫ」という）では、一方の取替側板６Ｂ−Ｌの下部と中間板１Ａとの間の空間がキャビネット本体６の内部空間に連通することで、その取替側板６Ｂ−Ｌの下部分だけキャビネット本体６の内部空間が拡張されたものとなっている。
【００３６】
図１を参照すると、家電設置台１１は、プレート１１Ａの周囲に枠１１Ｂを一体に形成してなる構造であって、その枠１１Ｂの内側に洗濯機のような家庭電化製品Ｗからの漏水を捕集する防水パンとしての機能を備えている。
【００３７】
また、図１の台輪１は、（４）キャビネット本体６の外部へ家電設置台１１をスライドにより引き出し可能とするスライド手段１２（図５参照）と、（５）家電設置台１１の裏面に設置された戸車１５（図５参照）と、を備えている。
【００３８】
スライド手段１２は、図５に示したように、一対のガイド１２Ａ、１２Ｂと、このガイド１２Ａ、１２Ｂにスライド可能に嵌合する一対のレール１２Ｃ、１２Ｄからなり、一方のレール１２Ｃは一方の取替側板６Ｂ−Ｌ内面に取り付け固定し、他方のレール１２Ｄは台輪１の中間板１Ａの側面（一方の取替側板６Ｂ−Ｌと対向する面）に取付け固定してある。また、一方のガイド１２Ｂは家電設置台１１の一側面に取り付け、他方のガイド１２Ｂはその家電設置台１１の反対の側面に取り付けてある。
【００３９】
戸車１５は、その転がり動作で家電設置台１１を引き出しやすくする機能と、家電設置台１１上に設置される洗濯機のような家庭電化製品Ｗの重量を受けることによって、スライド手段１２に加わる家庭電化製品Ｗの重量負荷を軽減する機能を有している。この戸車１５は１個でもよく、複数設けてもよい。
【００４０】
図５に示したように家電設置台１１の上に洗濯機が置かれる場合、洗濯機の排水ホースは、家電設置台１１の枠１１Ｂを超えて、キッチン床面Ｆの図示しない排水パイプに連結固定される。このため、排水ホースと枠１１Ｂとが接触する部分において、洗濯機の振動による摩擦・摩耗が生じ、排水ホースが破損するおそれもある。その摩擦・摩耗は、キャビネット本体６の外部へ家電設置台１１を引き出したり元の位置に戻したりする日常の作業でも生じる。
【００４１】
そこで、前記のような摩擦・摩耗による排水ホースの破損を防止する手段として、図１の台輪１では、家電設置台１１の枠１１Ｂ全体のうち、排水ホースが超える部分に切欠き部１１Ｃを形成し、この切欠き部１１Ｃ上に図示しないウレタン素材等のクッション材１１Ｄを貼付している。
【００４２】
なお、切欠き部１１Ｃは必要に応じて適宜省略することができ、切欠き部１１Ｃを省略した場合、前述のクッション材１１Ｄは、枠１１Ｂ全体のうち、排水ホースが超える部分に直接貼付される。
【００４３】
次に、上記の如く構成された図１の台輪１を図２（ｂ）の既存ミニキッチンＭＫに適用する作業例について、図２（ａ）（ｂ）及び図５を基に説明する。
【００４４】
なお、以下の作業例は、図２（ｂ）の既存ミニキッチンＭＫに対して図１の台輪１を適用することにより、既存ミニキッチンＭＫを構成するキャビネット本体６の内部空間を拡張し、図２（ａ）に示す大型の家庭電化製品Ｗ、具体的には３．３Ｋｇ仕様の全自動洗濯機Ｗ１を収納可能な収納スペースを既存ミニキッチンＭＫのキャビネット本体６内に形成するものであるが、その収納の対象は全自動洗濯機Ｗ１に限定されない。例えば冷蔵庫など、洗濯機以外の家庭電化製品を収容の対象としてもよい。
【００４５】
図２（ｂ）の既存ミニキッチンＭＫに対して図１の台輪１を適用する際は、その準備作業として、図２（ｂ）に示されている一対の側板６Ａ、６Ｂの取替え作業を行う。この取替え作業は、既存ミニキッチンＭＫのキャビネット本体６から一対の側板６Ａ、６Ｂを取外し、その取外した部位に一対の取替側板６Ａ−Ｌ、６Ｂ−Ｌ（図２（ａ）参照）を取付けるという側板交換作業である。
【００４６】
以上の取替え作業が終了したら、次は、既存ミニキッチンＭＫに対する台輪１の適用作業を行う。この適用作業は、図１に示したように、取替側板６Ａ−Ｌ、６Ｂ−Ｌの底部間に台輪１を配置し、配置した台輪１の後板１Ｂの端部を取替側板６Ａ−Ｌ、６Ｂ−Ｌに連結固定する。この際、少なくとも台輪１の中間板１Ａは床面に設置可能となるように設定する。中間板１Ａにはスライド手段１２と家電設置台１１を介して全自動洗濯機Ｗ１の荷重が作用するためである。
【００４７】
そして、最後に、下記《家電設置台１１の取付け作業》と下記《付帯作業（その１）》から《付帯作業（その４）》を行うことで、既存ミニキッチンＭＫに対する台輪１の適用作業は完了する。
【００４８】
《家電設置台１１の取付け作業》
家電設置台１１の取付け作業は、レール１２Ｃ、１２Ｄに対してガイド１２Ａ、１２Ｂを嵌合させることで、家電設置台１１を中間板１Ａと一方の取替側板６Ｂ−Ｌとの間にスライド可能に配置するというものである。
【００４９】
《付帯作業（その１）》
図２（ｂ）に示したキャビネット本体６正面の底板６Ｄ全体のうち、左右の扉７Ｌ、７Ｒの閉じ合せ部８から右側の部分は、全自動洗濯機Ｗ１の収容の邪魔になり不要であるので、図２（ａ）のように切断する。その切断した部分のキッチン床面Ｆには、キャビネット本体６の底板として、台輪１の家電設置台１１が配置される。
【００５０】
《付帯作業（その２）》
図２（ｂ）に示したキャビネット本体６の右側の扉７Ｒを、図２（ａ）のように大きい扉７Ｒに取り替える。右側の扉７Ｒが小さいままであると、ミニキッチンＭＫの正面から図１の台輪１が見えてしまい、ミニキッチンＭＫ全体の見栄えが悪くなるからである。見栄えを気にしないなら、扉７Ｒの取り替えは不要である。
【００５１】
《付帯作業（その３）》
図２（ｂ）に示したキャビネット本体６正面の巾木６Ｅ全体のうち、左右の扉７Ｌ、７Ｒの閉合せ部８から右側の部分を図２（ａ）のように切断する。その部分を残しておくとキャビネット本体６の中から全自動洗濯機Ｗ１を引き出すことができないからである。
【００５２】
《付帯作業（その４）》
仕切り板９に貫通孔１４（図５参照）を形成する。これは、左の室９Ｂにある水栓４の配管部（図示省略）から右の室９Ａに、全自動洗濯機Ｗ１の給水ホース１３Ａを導くようにするためである。仕切り板９が存在しない場合、この貫通孔１４の形成作業は省略される。
【００５３】
家電設置台１１の上に全自動洗濯機Ｗ１を置き、全自動洗濯機Ｗ１の図示しない排水ホースをキッチン床面Ｆの図示しない洗濯機用排水口に挿入する。洗濯機用排水口がない場合はシンク３のために設けている図示しない排水口を利用することができる。また、給水ホース１３Ａを全自動洗濯機Ｗ１の図示しない給水口に接続する。
【００５４】
《台輪適用ミニキッチンを住宅に設置する際の改装工事について》
台輪適用ミニキッチンＭＫの設置場所には、図２（ａ）に示したように、既存ミニキッチンＭＫの高さに合わせて下り壁２０が存在する場合がある。この一方、取替側板６Ａ−Ｌ、６Ｂ−Ｌの縦方向寸法は側板６Ａ、６Ｂの縦方向寸法に比べて長いので、既存ミニキッチンＭＫとの比較において、台輪適用ミニキッチンＭＫはその縦方向寸法差分だけ底上げされた状態になっている。
【００５５】
このため、前記のような下り壁２０が存在する設置場所では、台輪適用ミニキッチンＭＫと下り壁２０との接触による干渉が生じる。この場合は、台輪適用ミニキッチンＭＫの高さに合わせて下り壁２０を切断する。なお、下り壁２０がない場合、この切断作業は不要である。
【００５６】
《台輪適用ミニキッチンの使用方法》
台輪適用ミニキッチンＭＫは、その右の扉７Ｒを開くと、家電設置台１１上に置かれた全自動洗濯機Ｗ１が現れる。そして、洗濯を行う際は家電設置台１１と一緒に全自動洗濯機Ｗ１を手前に引き出して使用する。
【００５７】
全自動洗濯機Ｗ１での洗濯が終わったら、洗濯物を取り出した後、全自動洗濯機Ｗ１をキャビネット本体６の内部へ押し戻し、右側の扉７Ｒを閉めておく。その扉７Ｒを閉めることで、全自動洗濯機Ｗ１は隠れて外部から見えなくなるから、一見すると普通のキッチンのような見栄えになり、洗濯機の存在が圧迫感を与えたり、ミニキッチンＭＫ全体の見栄えを害したりすることもない。
【００５８】
以上説明した実施形態の台輪１にあっては、その具体的な構成として、前記の通り、一方の取替側板６Ｂ−Ｌの下部と中間板１Ａとの間の空間がキャビネット本体の内部空間に連通することによって、その一対の取替側板６Ｂ−Ｌの下部分だけキャビネット本体６の内部空間が拡張される構成を採用した。このため、既存ミニキッチンＭＫを構成するキャビネット本体６に対して、例えば、３．３Ｋｇ仕様の全自動洗濯機など、大型の家庭電化製品を収容できるスペースを設けることができ、そのような全自動洗濯機をミニキッチンに収容して使用したいというユーザの切実なニーズに応じることができる。
【００５９】
先に説明した実施形態の台輪１では、スライド手段１２と戸車１５の双方を備えるものとしたが、図６のように、かかるスライド手段１２を省略して、戸車１５のみを備える構成を採用してもよい。この場合、家電設置台１１上に置かれる全自動洗濯機Ｗ１等の家庭電化製品の安定性との関係から、戸車１５は複数設けるのが好ましい。
【００６０】
本考案は、以上説明した実施形態に限定されるものではなく、本発明の技術的思想内で当分野において通常の知識を有する者により多くの変形が可能である。
【符号の説明】
【００６１】
ＭＫ  ミニキッチン
１  台輪
１Ａ  台輪の中間板
１Ｂ  台輪の後板
２  加熱調理機器
３  シンク
４  水栓
５  カウンタートップ
６  キャビネット本体
６Ａ、６Ｂ  キャビネット本体の側板
６Ａ−Ｌ、６Ｂ−Ｌ  キャビネット本体の取替側板
６Ｃ  キャビネット本体の背板
６Ｄ  キャビネット本体の底板
６Ｅ  巾木
７Ｒ、７Ｌ  左右の扉
８  扉の閉合せ部
９  仕切り板
９Ａ、９Ｂ  室
１１  家電設置台
１１Ａ  プレート
１１Ｂ  枠
１１Ｃ  切欠き部
１１Ｄ  クッション材
１２  スライド手段
１３Ａ  給水ホース
１４  貫通孔
１５  戸車
１６  吊り戸棚
１７  水切り棚
２０  下り壁
Ｆ  キッチン床面
Ｗ  家庭電化製品
Ｗ１  全自動洗濯機
【図１】
0003218271.tif 000003
【図２】
0003218271.tif 000004
【図３】
0003218271.tif 000005
【図４】
0003218271.tif 000006
【図５】
0003218271.tif 000007
【図６】
0003218271.tif 000008